【手続補正書】
【提出日】平成22年8月26日(2010.8.26)
【手続補正１】
【補正対象書類名】特許請求の範囲
【補正対象項目名】全文
【補正方法】変更
【補正の内容】
【特許請求の範囲】
【請求項１】
画像から被写体の顔情報を検出する顔情報検出手段と、
前記顔情報検出手段によって複数の顔情報が検出された場合、該顔情報に基づいて、特定の数の顔を含むようにトリミング範囲を作成するトリミング範囲作成手段と、
前記トリミング範囲作成手段によって作成される複数のトリミング範囲のうち、選択されているトリミング範囲を他のトリミング範囲に切り替える操作を受け付ける受付手段と、
前記受付手段で前記操作を受け付けた際に、現在選択されているトリミング範囲が、該現在選択されているトリミング範囲に含まれる顔の数と同じ数の顔を含むように作成される複数のトリミング範囲のうちの所定の順序における最後のトリミング範囲でない場合には、選択されるトリミング範囲を、該現在選択しているトリミング範囲から、該現在選択されているトリミング範囲に含まれる顔の数と同じ数の顔を含むように作成される複数のトリミング範囲のうちの前記所定の順序における次のトリミング範囲に切り替え、前記受付手段で前記操作を受け付けた際に、現在選択されているトリミング範囲が、該現在選択されているトリミング範囲に含まれる顔の数と同じ数の顔を含むように作成される複数のトリミング範囲のうちの所定の順序における最後のトリミング範囲である場合には、選択されるトリミング範囲を、該現在選択しているトリミング範囲から、該現在選択されているトリミング範囲に含まれる顔の数よりも１つ多い数の顔を含むように作成されるトリミング範囲に切り替えるように制御する制御手段と、を有することを特徴とする画像処理装置。
【請求項２】
前記画像の全体を表示するとともに、表示した該画像の全体において前記選択されているトリミング範囲を識別可能に表示するように制御する表示制御手段を更に有することを特徴とする請求項１に記載の画像処理装置。
【請求項３】
前記表示制御手段は、前記画像の全体と、前記選択されているトリミング範囲によってトリミングされる画像とを同一画面上に表示するように制御することを特徴とする請求項２に記載の画像処理装置。
【請求項４】
ユーザからの操作に基づいて、前記選択されているトリミング範囲でのトリミング処理を行い、トリミングされた画像を記憶装置に記憶するトリミング処理手段を更に有することを特徴とする請求項１乃至３の何れか１項に記載の画像処理装置。
【請求項５】
ユーザからの操作に基づいて、前記選択されているトリミング範囲のサイズ、位置、向きの少なくとも１つの変更を行う変更手段を更に有することを特徴とする請求項１乃至４の何れか１項に記載の画像処理装置。
【請求項６】
前記トリミング範囲作成手段は、複数の顔を含むようにトリミング範囲を作成する場合、前記顔情報に含まれる顔サイズ情報に基づいて、略同一のサイズの顔を含むようにトリミング範囲を作成することを特徴とする請求項１乃至５の何れか１項に記載の画像処理装置。
【請求項７】
前記トリミング範囲作成手段は、複数の顔を含むようにトリミング範囲を作成する場合、前記顔情報に含まれる顔座標情報に基づいて顔の距離を算出し、所定の距離以内の顔同士を含むようにトリミング範囲を作成することを特徴とする請求項１乃至６の何れか１項に記載の画像処理装置。
【請求項８】
前記画像処理装置は、撮像手段を有する撮像装置であることを特徴とする請求項１乃至７の何れか１項に記載の画像処理装置。
【請求項９】
画像から被写体の顔情報を検出する顔情報検出ステップと、
前記顔情報検出ステップによって複数の顔情報が検出された場合、該顔情報に基づいて、特定の数の顔を含むようにトリミング範囲を作成するトリミング範囲作成ステップと、
前記トリミング範囲作成ステップによって作成される複数のトリミング範囲のうち、選択されているトリミング範囲を他のトリミング範囲に切り替える操作を受け付ける受付ステップと、
前記受付ステップで前記操作を受け付けた際に、現在選択されているトリミング範囲が、該現在選択されているトリミング範囲に含まれる顔の数と同じ数の顔を含むように作成される複数のトリミング範囲のうちの所定の順序における最後のトリミング範囲でない場合には、選択されるトリミング範囲を、該現在選択しているトリミング範囲から、該現在選択されているトリミング範囲に含まれる顔の数と同じ数の顔を含むように作成される複数のトリミング範囲のうちの前記所定の順序における次のトリミング範囲に切り替え、前記受付ステップで前記操作を受け付けた際に、現在選択されているトリミング範囲が、該現在選択されているトリミング範囲に含まれる顔の数と同じ数の顔を含むように作成される複数のトリミング範囲のうちの所定の順序における最後のトリミング範囲である場合には、選択されるトリミング範囲を、該現在選択しているトリミング範囲から、該現在選択されているトリミング範囲に含まれる顔の数よりも１つ多い数の顔を含むように作成されるトリミング範囲に切り替えるように制御する制御ステップと、を有することを特徴とする画像処理装置の制御方法。
【請求項１０】
コンピュータを、請求項１乃至８の何れか１項に記載された画像処理装置の各手段として機能させるためのプログラム。
【請求項１１】
コンピュータを、請求項１乃至８の何れか１項に記載された画像処理装置の各手段として機能させるためのプログラムを記録したコンピュータ読み取り可能な記憶媒体。
【手続補正２】
【補正対象書類名】明細書
【補正対象項目名】発明の名称
【補正方法】変更
【補正の内容】
【発明の名称】画像処理装置及びその制御方法
【手続補正３】
【補正対象書類名】明細書
【補正対象項目名】０００１
【補正方法】変更
【補正の内容】
【０００１】
本発明は、画像処理装置及びその制御方法に関するものであり、撮像した画像の画像処理を行うことができるデジタルカメラやプリンタに用いられて好適である。
【手続補正４】
【補正対象書類名】明細書
【補正対象項目名】０００６
【補正方法】変更
【補正の内容】
【０００６】
本発明は上述したような問題点に鑑みてなされたものであり、ユーザに対しユーザが所望するトリミング範囲を提供できるようにすることを目的とする。
【手続補正５】
【補正対象書類名】明細書
【補正対象項目名】０００７
【補正方法】変更
【補正の内容】
【０００７】
本発明の画像処理装置は、画像から被写体の顔情報を検出する顔情報検出手段と、前記顔情報検出手段によって複数の顔情報が検出された場合、該顔情報に基づいて、特定の数の顔を含むようにトリミング範囲を作成するトリミング範囲作成手段と、前記トリミング範囲作成手段によって作成される複数のトリミング範囲のうち、選択されているトリミング範囲を他のトリミング範囲に切り替える操作を受け付ける受付手段と、前記受付手段で前記操作を受け付けた際に、現在選択されているトリミング範囲が、該現在選択されているトリミング範囲に含まれる顔の数と同じ数の顔を含むように作成される複数のトリミング範囲のうちの所定の順序における最後のトリミング範囲でない場合には、選択されるトリミング範囲を、該現在選択しているトリミング範囲から、該現在選択されているトリミング範囲に含まれる顔の数と同じ数の顔を含むように作成される複数のトリミング範囲のうちの前記所定の順序における次のトリミング範囲に切り替え、前記受付手段で前記操作を受け付けた際に、現在選択されているトリミング範囲が、該現在選択されているトリミング範囲に含まれる顔の数と同じ数の顔を含むように作成される複数のトリミング範囲のうちの所定の順序における最後のトリミング範囲である場合には、選択されるトリミング範囲を、該現在選択しているトリミング範囲から、該現在選択されているトリミング範囲に含まれる顔の数よりも１つ多い数の顔を含むように作成されるトリミング範囲に切り替えるように制御する制御手段と、を有することを特徴とする。
【手続補正６】
【補正対象書類名】明細書
【補正対象項目名】０００８
【補正方法】削除
【補正の内容】
【手続補正７】
【補正対象書類名】明細書
【補正対象項目名】０００９
【補正方法】削除
【補正の内容】
【手続補正８】
【補正対象書類名】明細書
【補正対象項目名】００１０
【補正方法】変更
【補正の内容】
【００１０】
本発明によれば、ユーザが所望するトリミング範囲が提供されるので、トリミングの処理を簡単に行うことができる。
【手続補正９】
【補正対象書類名】図面
【補正対象項目名】図６
【補正方法】変更
【補正の内容】
【図６】
2009060291.tif 000001